(57)【要約】      （修正有）【課題】排気部の動作量に対応して生成するオゾン水のオゾン濃度を変動できるようにして、より安全性を高めた便器装置を提供する。【解決手段】便器装置は、オゾン電極への通電量に応じてオゾン濃度が異なるオゾン水を生成し、オゾン水をボウル部内に散布するオゾン水生成散布部２０と、ボウル部内に溜まっているオゾンガスを外部に排気する排気部４０と、排気部４０の動作量を検出する排気動作検出部５０と、すくなくともオゾン水生成散布部２０を制御する制御部１０とを備えており、制御部１０は、排気動作検出部５０が検出した動作量に対応させて通電量を決定してオゾン水生成散布部２０を制御する構成とした。【選択図】図１
2018178666.tif 000002
【特許請求の範囲】
【請求項１】
通電量に応じてオゾン濃度が異なるオゾン水を生成し、該オゾン水をボウル部内に散布するオゾン水生成散布部と、
ボウル部内に溜まっているオゾンガスを外部に排気する排気部と、
前記排気部の動作量を検出する排気動作検出部と、
すくなくとも前記オゾン水生成散布部を制御する制御部とを備えており、
前記制御部は、前記排気動作検出部が検出した動作量に対応させて前記通電量を決定して前記オゾン水生成散布部を制御することを特徴とする便器装置。
【請求項２】
請求項１において、
前記制御部は、前記動作量が所定の動作閾値範囲内の場合には前記動作量に対応する前記通電量で前記オゾン水生成散布部を制御する一方、前記動作量が所定の動作閾値に達している場合には前記オゾン水の生成を停止するように前記オゾン水生成散布部を制御することを特徴とする便器装置。
【請求項３】
請求項１または２において、
前記排気部は、排気ファンと、該排気ファンを回転させるファンモーターとを有してなり、
前記排気動作検出部は、前記ファンモーターに流れる電流値を検出する構成とされ、該電流値を前記動作量として決定することを特徴とする便器装置。
【発明の詳細な説明】
【技術分野】
【０００１】
本発明はボウル部内にオゾン水が散布される便器装置に関する。
【背景技術】
【０００２】
従来、この種の便器装置が種々提案されている（たとえば、特許文献１参照）。オゾン水には殺菌作用がある反面、揮発したオゾンガスは人体へ影響を及ぼす可能性があるため、特許文献１に記載のものは安全性を配慮して、便器装置に排気装置（排気部）が併設されている。
【先行技術文献】
【特許文献】
【０００３】
【特許文献１】特開２０１６−２１７００８号公報
【発明の概要】
【発明が解決しようとする課題】
【０００４】
しかしながら、上記文献のものでは排気部自体が異常となることまでは考慮されていない。たとえば排気ファンが停止したり、排気ファンの回転異常が生じたりした場合、当然にオゾンの排気が不十分になることが予想されるが、上記文献のものは、そのような事態を想定したものとはなっていない。
【０００５】
本発明は、このような事情を考慮して提案されたもので、排気部の動作量に対応して生成するオゾン水のオゾン濃度を変動できるようにして、より安全性を高めた便器装置を提供することにある。
【課題を解決するための手段】
【０００６】
上記目的を達成するために、本発明の便器装置は、通電量に応じてオゾン濃度が異なるオゾン水を生成し、オゾン水をボウル部内に散布するオゾン水生成散布部と、ボウル部内に溜まっているオゾンガスを外部に排気する排気部と、排気部の動作量を検出する排気動作検出部と、すくなくともオゾン水生成散布部を制御する制御部とを備えており、制御部は、排気動作検出部が検出した動作量に対応させて通電量を決定してオゾン水生成散布部を制御することを特徴とする。
【発明の効果】
【０００７】
本発明の便器装置によれば、上述した構成となっているため、排気部の動作量に対応して生成するオゾン水のオゾン濃度を変動できるようにして、より安全性を高めることができる。
【図面の簡単な説明】
【０００８】
【図１】本発明の一実施形態に係る便器装置の基本構成を示すブロック図である。
【図２】同便器装置の概略斜視図である。
【図３】（ａ）は同便器装置のオゾン水生成構造を示す模式的縦断面図、（ｂ）は同便器装置の排気構造を示す模式的縦断面図である。
【図４】同便器装置の制御動作の概略を示した基本動作ブロック図である。
【図５】同便器装置におけるオゾン濃度可変動作を説明するためのグラフである。
【発明を実施するための形態】
【０００９】
以下に、本発明の実施の形態について、添付図面をもとに説明する。まず、基本構成について説明する。
【００１０】
本便器装置１は、オゾン水生成散布部２０と、排気部４０と、排気動作検出部５０と、制御部１０とを備えている（図１参照）。オゾン水生成散布部２０は、通電量に応じてオゾン濃度が異なるオゾン水を生成し、オゾン水をボウル部３（図２参照）内に散布する構成とされる。排気部４０は、ボウル部３内に溜まっているオゾンガスを外部に排気する構成とされる。排気動作検出部５０は、排気部４０の動作量を検出する構成とされる。制御部１０は、すくなくともオゾン水生成散布部２０を制御する構成とされ、排気動作検出部５０が検出した動作量に対応させて通電量を決定してオゾン水生成散布部２０を制御するように動作する。
【００１１】
以下の実施形態に係る便器装置１は、オゾンガスの生成手段としてオゾン電極３２、３２（図３（ａ）参照）による電気分解法を用いたものである。この便器装置１の詳細構成および効果について、図１〜図５を参照しながら説明する。なお、便器装置１の前後方向は便器装置１の便座４（図２参照）に着座した利用者から見た方向を基準とする。
【００１２】
本便器装置１は、図２に示すように、ボウル部３や、給水管（不図示）および外部配水管（不図示）に接続される給排水機構等（不図示）が設けられた便器本体２を備えている。便器本体２には、ボウル部３に対して開閉自在とした便座４および便蓋５が設けられている。また、この便器本体２内のボウル部３の後部に位置するハウジング６には、洗浄機構（不図示）および局部洗浄装置（不図示）が配されている。
【００１３】
このハウジング６内には、図１に示した各部を含む構造として、図３（ａ）に示したオゾン水生成散布構造（オゾン水生成散布部２０）、図３（ｂ）に示した排気構造（排気部４０）が配設されている。また、ハウジング６の側面には、排気構部４０から外部に排気するための排気口４６が設けてある。なお、制御部１０および排気動作検出部５０は便器本体内の上記構造に併設されている。
【００１４】
図３（ａ）に示したオゾン水生成散布部２０は、オゾン水を生成して散布する装置である。オゾン水生成散布部２０は、水を電気分解してオゾン水を生成するオゾン水生成器３０と、給水源２４からオゾン水生成器３０に水を供給する供給路２１と、オゾン水生成器３０で生成したオゾン水をボウル部３の空間７へと放出する放出管２２とを備えている。吐水管２２の先端には吐出ノズル２３が形成されている。この吐水管２２および吐出ノズル２３が散布部２５を構成する。
【００１５】
オゾン水生成器３０は電解槽３１を備えており、その電解槽３１が一対のオゾン電極３２、３２を有したオゾン発生器３４と、溶解部３５とを備えている。また、オゾン水生成器３０は、一対のオゾン電極３２、３２に直流電圧を印加する電源を含む電流制御部３３を有している。
【００１６】
電解槽３１では、供給路２１から供給された水がオゾン発生器３４によって電気分解され、オゾン発生器３４のオゾン電極３２（陽極）から発生したオゾンガスが溶解部３５で水に溶解することでオゾン水が生成される。なお、オゾン発生器３４から発生するオゾンガスは、少量の水素や酸素を含む混合ガスの形態であってもよい。
【００１７】
こうして電解槽３１で生成されたオゾン水は、吐水管２２を通って霧状となって、吐出ノズル２３からボウル部３内の空間７へ吐出される。
【００１８】
一方、排気部４０は、図３（ｂ）に示すように、排気ケース４７内に形成された排気路４１と、一端が排気路４１に接続された排気管４２と、排気路４１内に配置された排気ファン４３と、排気路４１内の排気ファン４３の下流側に配置された脱臭ケース４５とを備えている。排気管４２の他端はボウル部３内の空間７に開口している。脱臭ケース４５内には活性炭などの脱臭剤が収納されている。
【００１９】
排気ファン４３を作動させると、ボウル部３内に溜まっている揮発したオゾンガスは、排気ファン４３により排気管４２を通して排気路４１に吸収される。そして、そのオゾンガスは脱臭ケース４５内の脱臭剤により脱臭されかつ低濃度化された後、排気口４６から便器本体２の外部に排気される。
【００２０】
以上のように、オゾン水生成散布部２０によりオゾン水が生成され、ボウル部３内の空間７に散布される。そして、揮発したボウル部３内のオゾンガスは排気部４０により便器本体２の外部に排気される。
【００２１】
ついで、制御部１０による、オゾン水生成散布部２０および排気部４０の制御動作について、図４の基本動作ブロック図にもとづいて説明する。
【００２２】
図４における、電磁弁６１、流量センサー６２およびポンプ６３はオゾン水生成散布部２０へオゾン水用の水を供給するための部材である。制御部１０は流量センサー６２で流量を計測しながら、オゾン水生成散布部２０へ水を供給するようになっている。なお、水の供給はオゾン水生成散布部２０専用の供給路で行ってもよいが、局部洗浄装置（不図示）への供給路より分岐した分岐路を介して供給する構成であってもよい。
【００２３】
オゾン水生成散布部２０は、オゾン水の散布による殺菌を効果的に実施するために便器洗浄のタイミングで作動されればよく、さらに便器殺菌スイッチ（不図示）などで作動されるようにしてもよい。また、排気部４０はオゾン水の生成および散布と同時あるいは少しの時間遅れで作動されるようにすればよい。
【００２４】
制御部１０は、オゾン水生成散布部２０の電流制御部３３に対してＯＮ／ＯＦＦ信号を送出し、ＯＮのときに電流制御部３３がオゾン水生成器３０を作動させ、ＯＦＦで停止させる。ＯＮのときには、オゾン水生成器３０は電力が供給され水の電気分解を起こしオゾン水を生成し、散布部２５がボウル部３内の空間７（図３（ａ）参照）に霧状のオゾン水を散布する。オゾン水の初期オゾン濃度は、供給電力の程度によって可変となるため、目標とされる初期オゾン濃度のオゾン水を生成するためにフィードバックによる電流供給制御がなされる。なお、初期オゾン濃度は、水量や水温、オゾン電極３２、３２（図３（ａ）参照）の使用時間などによっても異なる。
【００２５】
また、制御部１０は、所定の殺菌能力を維持するために一定時間、オゾン水生成器３０にオゾン水を発生させ、一定時間経過後、ＯＦＦ信号でオゾン水生成器３０にオゾン水の発生を停止させる。制御部１０は、このように通電時間（通電量）でオゾン水の生成量をコントロールすることができる。
【００２６】
一方、制御部１０は、排気ファン４３（図３（ｂ）参照）を動作させるためのファン制御信号を排気部４０に対して出力する。排気部４０は排気動作検出部５０を含んだ構成とされている。この排気動作検出部５０は、排気ファン４３に併設されたファンモーター４４に流れる電流値を検出する構成とされる。このように検出された電流値が排気部４０の動作量とされる。
【００２７】
制御部１０は、この排気部４０の動作量（電流値）をもとにオゾン水生成散布部２０が生成するオゾン水のオゾン濃度を調整する。より具体的には図５を参照して説明する。
【００２８】
ファンモーター４４に流れる電流値と、ファンモーター４４の回転数とは図５のグラフのような相関関係がある。つまり、図５のグラフによれば、排気ファン４３の回転数が少なくなるほど電流値は高くなる。同一値の制御信号によるファンモーター４４に流れる電流値が正常値よりも上回っている場合は、排気ファン４３の劣化・故障や異物のつまりなどによる動作不良で回転数が低下していると判断することができる。したがって、電流値が通常の動作時の値（正常値）よりも大きい場合に排気ファン４３の異常と判断することができる。
【００２９】
本実施形態では、制御部１０は電流値で排気ファン４３の異常を判断するようになっている。制御部１０は、動作量（電流値）が動作閾値範囲内、つまり図５における通常動作時の電流値Ａから動作閾値Ｂまでの範囲内であれば軽度の異常と判断し、その動作量に対応した通電量でオゾン水生成散布部２０を制御する。すなわち、この軽度異常の範囲はオゾン濃度調整域とされ、このオゾン濃度調整域Ｌ１では排気部４０の排気能力に合わせて、電流値が大きくなるにしたがいオゾン濃度が小さくなるようにオゾン水が生成される。動作量（電流値）と、オゾン水生成散布部２０への通電量との対応は、関数（変換式）を用いてもよいし、動作量／通電量対応テーブルなどの対応表を用いてもよい。
【００３０】
制御部１０は、オゾン水生成散布部２０への通電の電流値（電力値）を変えることで通電量を変動させてもよいし、通電時間を変えることで通電量を変動させてもよい。したがって、その場合は動作量を通電時間に変換できるようにすればよい。もちろん、電流値（電力値）と通電時間の両方を変えることで通電量を変動させてもよい。また、通電量の変動に合わせて、オゾン水生成散布部２０に供給される水の量を変動させてもよい。
【００３１】
また制御部１０は、動作量（電流値）が動作閾値Ｂに到達している場合、あるいは電流値が動作閾値Ｂを超えている場合は、重度の異常（オゾン異常停止域Ｌ２）としてオゾン水の生成を停止すべく、オゾン水生成散布部２０への通電を停止する。
【００３２】
このように本便器装置１によれば、排気部４０の動作量に対応して生成するオゾン水のオゾン濃度を変動することができる。そのため、排気部４０が異常の場合でも、その異常の程度に応じたオゾン濃度のオゾン水を生成すべくオゾン水生成散布部２０を作動させることができる。すなわち、排気部４０の能力が落ち余剰のオゾンガスが十分に排気されないおそれがある場合には、それに応じてオゾン水のオゾン濃度を低下させることができ、ボウル部３内のオゾンガスを減らすことができる。したがって、このように排気部４０が異常の場合でも、オゾンガスによる人体への悪影響を防止でき、安全性が高められる。
【００３３】
また、本実施形態では、排気部４０の異常の判断をファンモーター４４への電流値で行っているため、簡易に排気ファン４３の劣化や故障を簡易な構成で判断することができる。もちろんこれには限られず、たとえば、排気ファン４３の回転数を直接検出するセンサーを設けて、その実績回転数を動作量として採用してもよい。また、排気路４１の排気ファン４３の下流側を流れる空気の量を計測するセンサーを設けて、その空気量を動作量として採用してもよい。これらの場合、動作量が通常動作時の値よりも小さくなれば異常と判断できるため、動作量が小さくなるにしたがいオゾン濃度を小さくするような相関関係でオゾン水が生成されればよい。
【００３４】
さらに本実施形態では、上述したように排気ファン４３の異常を軽度と重度に分けて判断する構成となっている。そのため、軽度異常のときには、異常の程度に合わせてオゾン濃度を調整することで、安全性を配慮しながらオゾン水による殺菌機能を保持することができる。また、排気部４０がほとんど機能しないような重度異常のときには、オゾン水の生成を停止するようになっているため、オゾンガスによる人体への悪影響をほぼ完全に排除することができる。
【００３５】
以上の実施形態は、オゾンガスの生成手段としてオゾン電極３２、３２による電気分解法を採用したものであるが、放電法、紫外線ランプ法を用いたものでもよい。また、オゾン水の生成手段としては、気泡溶解法、隔膜溶解法、充填層溶解法のいずれを採用してもよい。また、排気部としては、脱臭剤等で処理せずに、そのまま排出する構成としてもよい。
【符号の説明】
【００３６】
１          便器装置
３          ボウル部
１０        制御部
２０        オゾン水生成散布部
３０        オゾン水生成器
３２        オゾン電極
４０        排気部
５０        排気動作検出部
【図１】
2018178666.tif 000003
【図２】
2018178666.tif 000004
【図３】
2018178666.tif 000005
【図４】
2018178666.tif 000006
【図５】
2018178666.tif 000007